(57)【要約】【課題】放射線撮影システムを放射線発生用制御装置と連携して制御する放射線制御装置であって、放射線発生装置における放射線の照射状態、特に、放射線の照射中状態を確実に報知できる放射線制御装置を提供する。【解決手段】放射線制御装置は、放射線発生装置における放射線の照射状態を報知する報知部と、報知部における報知動作を制御する報知制御部と、を備える。報知制御部は、放射線発生用制御装置からの放射線照射信号よりも前に放射線制御装置が受信する放射線発生装置又は放射線撮影装置からの信号に基づいて、放射線が照射されていることを示す照射中状態の報知開始タイミングを制御する。【選択図】図３
2019048006.tif 000002
【特許請求の範囲】
【請求項１】
放射線発生装置及び放射線撮影装置を含む放射線撮影システムを放射線発生用制御装置と連携して制御する放射線制御装置であって、
前記放射線発生装置における放射線の照射状態を報知する報知部と、
前記報知部における報知動作を制御する報知制御部と、を備え、
前記報知制御部は、前記放射線発生用制御装置からの放射線照射信号よりも前に前記放射線制御装置が受信する前記放射線発生装置又は前記放射線撮影装置からの信号に基づいて、放射線が照射されていることを示す照射中状態の報知開始タイミングを制御することを特徴とする放射線制御装置。
【請求項２】
前記報知制御部は、前記放射線発生装置からの照射準備が完了したことを示す照射準備完了信号に同期して、前記照射中状態の報知を開始させることを特徴とする請求項１に記載の放射線制御装置。
【請求項３】
前記報知制御部は、被検体を透過した放射線を検出して放射線画像を撮像する撮像装置からの撮影準備が完了したことを示す撮影準備完了信号に同期して、前記照射中状態の報知を開始させることを特徴とする請求項１に記載の放射線制御装置。
【請求項４】
前記報知制御部は、前記照射中状態の報知時間が所定時間以上となるように、前記照射中状態の報知終了タイミングを設定することを特徴とする請求項１から３のいずれか一項に記載の放射線制御装置。
【請求項５】
前記報知制御部は、
放射線の照射時間が所定時間以上である場合に、前記放射線照射信号によって指示される照射終了タイミングで前記照射中状態の報知を終了させ、
前記照射時間が前記所定時間未満である場合に、前記照射終了タイミングよりも後に前記照射中状態の報知を終了させることを特徴とする請求項４に記載の放射線制御装置。
【請求項６】
前記報知部は、前記照射中状態を視覚的に報知する表示部及び／又は音で報知する音声出力部を含むことを特徴とする請求項１から５のいずれか一項に記載の放射線制御装置。
【発明の詳細な説明】
【技術分野】
【０００１】
本発明は、放射線発生用制御装置と連携して放射線撮影システムを制御する放射線制御装置に関する。
【背景技術】
【０００２】
従来、医療分野では、Ｘ線撮影システムを利用した画像診断が行われている。近年では、入射Ｘ線に基づいてＸ線画像を生成するフラットパネルディテクター（ＦＰＤ：Flat Panel Detector）の開発に伴い、Ｘ線動態撮影による診断手法も確立されつつある。Ｘ線動態撮影では、呼吸器や循環器の形態情報だけでなく、Ｘ線画像の画素値（濃度）の変化から動態情報も得ることができ、例えば、肺換気機能や肺血流等の胸部動態診断を行うことができる。
【０００３】
一般に、Ｘ線撮影システムは、Ｘ線を発生し被検体に向けて照射するＸ線発生装置と、被検体を透過したＸ線の入線量に基づいてＸ線画像を撮影するＸ線撮影装置とを備える。
Ｘ線発生装置は、Ｘ線を被検体に向けて照射するＸ線管装置、Ｘ線管装置に電圧を印加する高電圧発生装置、Ｘ線管装置及び高電圧発生装置の動作を制御するＸ線発生用制御装置、照射条件等の入力及び確認を行うためのＸ線発生用コンソール、並びにＸ線の照射を指示するための照射スイッチ等を備える。
Ｘ線撮影装置は、被検体を透過したＸ線を検出し画像データに変換して出力するＦＰＤ、ＦＰＤの動作を制御するとともに得られたＸ線画像データに対して所定の処理（例えば、画像処理及び表示制御処理）を行う撮影用制御装置、並びに撮影条件等の入力及び確認を行うための撮影用コンソールを備える。撮影されたＸ線画像は、撮影用コンソールに表示される。
【０００４】
Ｘ線撮影システムでは、Ｘ線の照射状態を所定色の光で表示することが規定されている（医用Ｘ線高電圧装置通則  JIS Z 4702）。一般に、Ｘ線発生用コンソールに発光ダイオード（ＬＥＤ：Light Emitting Diode）等の発光素子からなる表示ランプが設けられ、表示ランプの点灯／非点灯により、Ｘ線の照射状態が報知されるようになっている。例えば、表示ランプは、Ｘ線照射準備状態では緑色で点灯し、Ｘ線照射中状態ではオレンジ色で点灯する。
【０００５】
Ｘ線発生用コンソールの表示ランプでＸ線の照射状態を表示する場合は、Ｘ線発生用制御装置から高電圧発生装置にＸ線の照射を指示するＸ線照射信号に従って表示ランプの動作も制御されるので、表示ランプの点灯に遅延が生じることはなく、Ｘ線の照射状態を正確に報知することができる。
【先行技術文献】
【特許文献】
【０００６】
【特許文献１】国際公開第２０１２／０３２８００号
【発明の概要】
【発明が解決しようとする課題】
【０００７】
一方で、近年では、Ｘ線発生装置とＸ線撮影装置との間で互いに信号等をやりとりして、両者が連携しながらＸ線撮影が行われる一体型のＸ線撮影システムが主流となっている。一体型Ｘ線撮影システムでは、Ｘ線発生用コンソールが省略され、撮影用コンソールに、Ｘ線発生装置に関する情報の入力及び表示が行われる。一体型Ｘ線撮影システムにおいても、上述したように、Ｘ線の照射状態を所定色の光で表示することが要求される。
【０００８】
しかしながら、Ｘ線発生用制御装置からのＸ線照射信号に従って、撮影用コンソールの表示制御を行うと、信号伝達に要する時間分の遅延が生じる。また、撮影用コンソールの表示部は、液晶ディスプレイやＣＲＴ（Cathode Ray Tube）等のソフトウェア処理によって表示制御が行われる表示装置で構成されているため、フレームの切替タイミングによっても遅延が生じる。単純Ｘ線撮影におけるＸ線の照射時間は、通常、５０ｍｓｅｃ程度と非常に短時間であるため、信号伝達及びフレーム切替により遅延が生じると、もはやＸ線の照射状態を正確に報知できているとはいえない。
【０００９】
本発明の目的は、放射線撮影システムを放射線発生用制御装置と連携して制御する放射線制御装置であって、放射線発生装置における放射線の照射状態、特に、放射線の照射中状態を確実に報知できる放射線制御装置を提供することである。
【課題を解決するための手段】
【００１０】
本発明の一態様に係る放射線制御装置は、
放射線発生装置及び放射線撮影装置を含む放射線撮影システムを放射線発生用制御装置と連携して制御する放射線制御装置であって、
前記放射線発生装置における放射線の照射状態を報知する報知部と、
前記報知部における報知動作を制御する報知制御部と、を備え、
前記報知制御部は、前記放射線発生用制御装置からの放射線照射信号よりも前に前記放射線制御装置が受信する前記放射線発生装置又は前記放射線撮影装置からの信号に基づいて、放射線が照射されていることを示す照射中状態の報知開始タイミングを制御することを特徴とする。
【発明の効果】
【００１１】
本発明によれば、放射線発生装置における放射線の照射状態、特に、放射線の照射中状態を確実に報知することができる。
【図面の簡単な説明】
【００１２】
【図１】本発明の一実施の形態に係る放射線撮影装置を適用したＸ線撮影システムを示す図である。
【図２】撮影用制御装置の構成を示す図である。
【図３】図３Ａ、図３Ｂは、報知制御部による報知動作の一例を示すタイミングチャートである。
【図４】図４Ａ〜図４Ｄは、Ｘ線照射情報の表示例を示す図である。
【発明を実施するための形態】
【００１３】
以下、本発明の実施の形態を、図面を参照して詳細に説明する。
【００１４】
図１は、本発明の一実施の形態に係る放射線制御装置を適用したＸ線撮影システム１を示す図である。Ｘ線撮影システム１では、撮影用制御装置１１に、本発明に係る放射線制御装置が適用されている。Ｘ線撮影システム１は、Ｘ線発生装置２０とＸ線撮影装置１０との間で互いに信号等をやりとりして、両者が連携しながらＸ線撮影が行われる一体型の撮影システムである。
【００１５】
図１に示すように、Ｘ線撮影システム１は、Ｘ線撮影装置１０及びＸ線発生装置２０を備える。Ｘ線撮影システム１は、通信ネットワークを介して、画像保存通信システム(ＰＡＣＳ：Picture Archiving and Communication Systems)３１、病院情報システム(ＨＩＳ：Hospital Information Systems)３２、及び放射線科情報システム(ＲＩＳ：Radiology Information Systems)３３に接続される。Ｘ線撮影システム１、ＰＡＣＳ３１、ＨＩＳ３２、及びＲＩＳ３３を含む通信ネットワークにおいては、例えば、ＤＩＣＯＭ（Digital Image and Communications in Medicine）規格に従って情報の送受信が行われる。
【００１６】
Ｘ線撮影装置１０は、撮影用制御装置１１、ＦＰＤ１２、撮影台１３、及び中継器１４等を備える。Ｘ線撮影装置１０は、例えば、胸部、腹部等の撮影対象部位を透過したＸ線を可視化して、体内の状態を示すＸ線画像を撮影する。
【００１７】
ＦＰＤ１２は、Ｘ線管装置２５から照射され被検体を透過したＸ線を検出し、Ｘ線画像データを出力する撮像装置である。ＦＰＤ１２は、例えば、撮影台１３に装着され、有線通信によって撮影台１３及び中継器１４を介して撮影用制御装置１１と通信可能に接続される。ＦＰＤ１２は、無線通信によって撮影用制御装置１１と接続されてもよい。ＦＰＤ１２が無線通信機能を有する場合、専用の撮影台１３に装着するのではなく、ＦＰＤ１２を、被検体が仰臥するベッド上に置いたり、被検体自身に持たせたりして使用することもできる。
【００１８】
ＦＰＤ１２は、例えば、入射したＸ線を光に変換するシンチレーター、画素に対応してマトリックス状に配置されたＰＤ（Photo Diode）、及び各ＰＤに対応して配置されたＴＦＴ（Thin Film Transistor）スイッチを有する（いずれも図示略）。入射したＸ線はシンチレーターで光に変換され、ＰＤに入射して画素ごとに電荷として蓄積される。ＰＤに蓄積された電荷は、ＴＦＴスイッチ及び信号線を介して流れ出し、増幅、Ａ／Ｄ変換されてＸ線画像データとして撮影用制御装置１１に出力される。なお、ＦＰＤ１２は、上述した間接変換型であってもよいし、Ｘ線を直接電気信号に変換する直接変換型であってもよい。
【００１９】
撮影台１３は、ＦＰＤ１２のＸ線入射面がＸ線管装置２５と対向する姿勢となるように、ＦＰＤ１２を着脱自在に保持する。図１では、撮影台１３として、被検体を立位姿勢で撮影する立位用撮影台を例示している。撮影台１３は、被検体を臥位姿勢で撮影する臥位用撮影台でもよい。撮影台１３は、例えば、有線通信によって中継器１４を介して撮影用制御装置１１と通信可能に接続される。
【００２０】
撮影用制御装置１１は、Ｘ線発生用制御装置２１と連携してＸ線撮影システム１を制御する。撮影用制御装置１１は、例えば、ＦＰＤ１２に対して検出条件を送信し、設定する。検出条件は、撮影する画像サイズ、フレームレート（動態撮影の場合）、及びＦＰＤ１２で実行される信号処理に関する情報（例えば、増幅器のゲイン等）を含む。撮影用制御装置１１は、ＦＰＤ１２の各動作を制御するとともに、ＦＰＤ１２からＸ線画像データを取得し、所定の画像処理を施して表示部１１３（図２参照）に表示させる。撮影用制御装置１１の詳細については後述する。
【００２１】
また、本実施の形態では、撮影用制御装置１１は、Ｘ線発生装置２０の照射用コンソールとしての機能を有する。すなわち、撮影用制御装置１１の表示部１１３及び操作部１１４（図２参照）を用いて、Ｘ線発生装置２０に関する情報の表示及び入力が行われる。
【００２２】
Ｘ線発生装置２０は、Ｘ線発生用制御装置２１、照射スイッチ２３、高電圧発生装置２４、及びＸ線管装置２５を備える。
【００２３】
Ｘ線管装置２５は、被検体を挟んでＦＰＤ１２と対向する位置に配置される。Ｘ線管装置２５は、高電圧発生装置２４によって高電圧が印加されることにより、Ｘ線を発生し、被検体に向けて照射する。Ｘ線管装置２５は、Ｘ線の照射野を調整するＸ線可動絞りを含む。
【００２４】
照射スイッチ２３は、Ｘ線発生用制御装置２１に信号ケーブルを介して接続される。照射スイッチ２３は、Ｘ線の照射を指示するためのスイッチであり、例えば、二段階の自動復帰型押しボタンスイッチで構成される。照射スイッチ２３において、一段階目の押下操作が行われると、Ｘ線管装置２５のウォームアップを開始させるためのウォームアップ開始信号がＸ線発生用制御装置２１に送信され、二段階目の押下操作が行われると、Ｘ線管装置２５にＸ線の照射を開始させるための照射開始信号がＸ線発生用制御装置２１に送信される。
【００２５】
Ｘ線発生用制御装置２１は、撮影用制御装置１１からの照射条件及び照射スイッチ２３からの制御信号（ウォームアップ開始信号及び照射開始信号）に基づいて、高電圧発生装置２４及びＸ線管装置２５の動作を制御する。照射条件は、例えば、管電圧、管電流、曝射時間、曝射量、セッティングモード、焦点サイズ、フォトタイマー、コリメーターサイズ、フィルター種別、撮影姿勢（立位／臥位）等の複数のパラメーターを含む。
【００２６】
照射条件は、撮影用制御装置１１を利用して設定される。撮影用制御装置１１において検査オーダーの実行が指示されると、検査オーダーに対応して予め設定されている照射条件がＸ線発生用制御装置２１に自動的に送信され、設定される。利用者は、撮影用制御装置１１の操作部１１４を通じて照射条件を微調整することができる。
【００２７】
図２は、撮影用制御装置１１の構成を示す図である。図２に示すように、撮影用制御装置１１は、処理部１１１、記憶部１１２、表示部１１３、操作部１１４、及び通信部１１５等を備える。
【００２８】
処理部１１１は、演算／制御装置としてのＣＰＵ（Central Processing Unit）、主記憶装置としてのＲＯＭ（Read Only Memory）及びＲＡＭ（Random Access Memory）等を備える（いずれも図示略）。ＲＯＭには、基本プログラムや基本的な設定データが記憶される。ＣＰＵは、ＲＯＭ又は記憶部１１２から処理内容に応じたプログラムを読み出してＲＡＭに展開し、展開したプログラムを実行することにより、ＦＰＤ１２等の動作を集中制御する。
【００２９】
記憶部１１２は、例えばＨＤＤ（Hard Disk Drive）、又はＳＳＤ（Solid State Drive）等の補助記憶装置である。記憶部１１２は、ＣＤ（Compact Disc）、ＤＶＤ（Digital Versatile Disc）等の光ディスク、ＭＯ（（Magneto-Optical disk）等の光磁気ディスクを駆動して情報を読み書きするディスクドライブであってもよい。また例えば、記憶部１１２は、ＵＳＢメモリ、ＳＤカード等のメモリカードであってもよい。
【００３０】
記憶部１１２は、処理部１１１で実行される各種プログラムや、プログラムの実行に必要なパラメーター、及び処理結果等のデータを記憶する。記憶部１１２は、例えば、撮影条件データ１１２Ａ及びＸ線画像データ１１２Ｂを記憶する。撮影条件データ１１２Ａは、Ｘ線発生装置２０における照射条件のデータ及びＦＰＤ１２における検出条件のデータを含む。
【００３１】
撮影条件は、例えば、検査オーダーに含まれる撮影内容（撮影部位、撮影方向、被検体の体型など）に関連付けられている。検査オーダーが選択され、その検査オーダーに撮影条件が設定されていない場合（例えば、初回検査時）に、撮影内容に関連付けられた撮影条件が読み出される。なお、初回検査とは、同一の被検体に対して同一の撮影内容で行われる最初の検査である。
【００３２】
表示部１１３は、例えば、液晶ディスプレイ、有機ＥＬディスプレイなどのフラットパネルディスプレイで構成される。表示部１１３は、処理部１１１からの表示制御信号に基づいて、検査オーダーの内容や、撮影されたＸ線画像を表示する。検査オーダーは、被検体である患者の患者情報（例えば、患者ＩＤ、患者名、生年月日、性別）、撮影時の姿勢情報（例えば、姿勢（立位／臥位）、照射方向（背面／前面／側面）、撮影部位情報（例えば、胸部）、検査項目（肺換気機能、肺血流など）、被検体の検査履歴（前回検査時の撮影条件など）を含む。
【００３３】
本実施の形態では、表示部１１３に、Ｘ線発生装置２０におけるＸ線の照射状態を示すＸ線照射情報が表示される（図４Ａ〜図４Ｄ参照）。すなわち、表示部１１３は、本発明に係る報知部として機能する。
【００３４】
操作部１１４は、カーソルキー、数字入力キー、及び各種機能キー等を有するキーボードと、マウス等のポインティングデバイスで構成される。操作部１１４は、キー操作やマウス操作により入力された操作信号を受け付け、処理部１１１に出力する。利用者は、操作部１１４を通じて、例えば、撮影条件を入力することができる。
【００３５】
なお、表示部１１３及び操作部１１４は、例えば、タッチパネル付きのフラットパネルディスプレイのように一体的に構成されてもよい。
【００３６】
通信部１１５は、例えばＮＩＣ（Network Interface Card）、ＭＯＤＥＭ（MOdulator-DEModulator）、ＵＳＢ（Universal Serial Bus）等の通信インターフェースである。処理部１１１は、通信部１１５を介して、有線／無線ＬＡＮ等のネットワークに接続された装置との間で、ＤＩＣＯＭ規格に従って各種情報の送受信を行う。通信部１１５には、ＮＦＣ（Near Field Communication）やBluetooth（登録商標）等の近距離無線通信用の通信インターフェースを適用することもできる。
【００３７】
処理部１１１は、撮影プログラムを実行することにより、表示制御部１１１Ａ、撮影条件設定部１１１Ｂ、報知制御部１１１Ｃとして機能する。撮影プログラムは、例えば、処理部１１１のＲＯＭに記憶される。
【００３８】
Ｘ線撮影システム１によりＸ線撮影を行う場合、撮影用制御装置１１において検査オーダーの登録が行われる。登録された検査オーダーは、撮影用制御装置１１の表示部１１３に表示される。検査オーダーは、ＨＩＳ３２やＲＩＳ３３等の外部システムから入力されてもよいし、利用者により操作部１１４を通じて手動入力されてもよい。ここでは、ＨＩＳ３２やＲＩＳ３３等の外部システムから検査オーダーが入力されるものとする。
【００３９】
登録された検査オーダーの実行が指示されると、検査オーダーに含まれる撮影条件がＸ線発生用制御装置２１及びＦＰＤ１２に送信され、設定される（撮影条件設定部１１１Ｂ）。なお、初回検査時は、検査オーダーに含まれる撮影内容に対応する撮影条件が記憶部１１２から読み出され、設定される。利用者は、操作部１１４を通じて、照射条件の設定を変更して微調整することができる。この場合、設定変更された照射条件は、改めてＸ線発生用制御装置２１に送信される。
【００４０】
利用者によって照射スイッチ２３の一段階目の押下操作が行われると、Ｘ線管装置２５のウォームアップ（フィラメントの加熱等）が開始される。これに伴い、Ｘ線発生用制御装置２１から撮影用制御装置１１に、ウォームアップが開始されたことを示すレディ信号（照射準備開始信号）が送信される。撮影用制御装置１１は、レディ信号を受信すると、ＦＰＤ１２に撮影準備（初期化）を指示する。
【００４１】
Ｘ線管装置２５のウォームアップが完了すると、Ｘ線発生用制御装置２１から撮影用制御装置１１に、ウォームアップが完了したことを示すスタート信号（照射準備完了信号）が送信される。また、ＦＰＤ１２から撮影用制御装置１１及びＸ線発生用制御装置２１に、撮影準備が完了したことを示すＯＫ信号（撮影準備完了信号）が送信される。
【００４２】
利用者によって照射スイッチ２３の二段階目の押下操作が行われると、Ｘ線発生用制御装置２１は、Ｘ線の照射を指示するＸ線照射信号を高電圧発生装置２４及び撮影用制御装置１１に送信する。高電圧発生装置２４によってＸ線管装置２５に高電圧が印加され、Ｘ線の照射が開始される。なお、照射スイッチ２３の二段階目の押下操作は、Ｘ線発生用制御装置２１からのスタート信号及びＦＰＤ１２からのＯＫ信号を受け付ける前に行われてもよい。この場合、スタート信号及びＯＫ信号を受信することに伴い、Ｘ線発生用制御装置２１からＸ線照射信号が送信される。
【００４３】
単純Ｘ線撮影のように照射時間が設定されている場合は、所定の照射時間が経過すると、Ｘ線の照射が終了する。動態撮影の場合は、照射スイッチ２３の二段階目の押下操作が行われている期間、Ｘ線の照射が連続して行われ、照射スイッチ２３の押下操作が解放されると、Ｘ線の照射が終了する。Ｘ線照射の終了に伴いＸ線照射信号がオフとなり、ＯＫ信号、スタート信号及びレディ信号も順次オフとなる。
【００４４】
撮影されたＸ線画像は、ＦＰＤ１２から撮影用制御装置１１に送信され、記憶部１１２に格納される。撮影用制御装置１１において、Ｘ線画像データに対してオフセット補正やゲイン補正等の各種画像処理が施され、表示部１１３に表示される（表示制御部１１１Ａ）。
【００４５】
撮影用制御装置１１において、報知制御部１１１Ｃは、表示部１１３における報知動作を制御する。報知制御部１１１Ｃによる報知動作を示すタイミングチャートを図３Ａ、図３Ｂに示す。また、Ｘ線照射情報（照射状態を示すマーク）の表示例を図４Ａ〜図４Ｄに示す。
【００４６】
以下において、照射準備状態を示すＸ線照射情報を「照射準備マーク」、照射中状態を示すＸ線照射情報を「照射中マーク」と称する。照射準備マークは、例えば緑色で表示され、照射中マークは、例えばオレンジ色で表示される。また、照射スイッチ２３では、一段階目の押下操作、二段階目の押下操作、押下操作の解放が一連の動作で行われるものとする。
【００４７】
図３Ａは、スタート信号に同期して、スタート信号がオンとなるタイミングｔ２で照射中マークの表示が開始される場合を示している。図３Ａでは、照射スイッチ２３において一段階目の押下操作が行われたタイミングｔ０で、照射準備マークの表示が開始される（図４Ｂ参照）。そして、Ｘ線管装置２５で照射準備が完了し、スタート信号がオンになったタイミングｔ２で、Ｘ線照射情報は、照射準備マークから照射中マークに切り替わる（図４Ｃ参照）。
【００４８】
図３Ｂは、ＯＫ信号に同期して、ＯＫ信号がオンとなるタイミングｔ３で照射中マークの表示が開始される場合を示している。図３Ｂでは、照射スイッチ２３において一段階目の押下操作が行われたタイミングｔ０で、照射準備マークの表示が開始される（図４Ｂ参照）。そして、ＦＰＤ１２で撮影準備が完了し、ＯＫ信号がオンになったタイミングｔ３で、Ｘ線照射情報は、照射準備マークから照射中マークに切り替わる（図４Ｃ参照）。
【００４９】
なお、照射スイッチ２３の一段階目の押下操作が行われるまでは、Ｘ線照射情報の表示は行われない（図４Ａ参照）。また、照射中マークは、Ｘ線照射信号がオフとなるタイミングｔ５で消去され、撮影されたＸ線画像が表示される（図４Ｄ参照）。
【００５０】
いずれの場合も、照射中マークの表示は、Ｘ線照射信号によって指示される照射開始タイミングｔ４よりも前に開始されている。つまり、Ｘ線発生用制御装置２１からの信号伝達及び表示部１１３におけるフレーム切替による遅延を考慮して、照射中マークの表示制御が行われている。したがって、Ｘ線発生装置２０におけるＸ線の照射中状態を確実に報知することができる。
【００５１】
ここで、報知制御部１１１Ｃは、照射中状態の報知時間（図３Ａにおける期間ｔ２〜ｔ５、図３Ｂにおける期間ｔ３〜ｔ５）が所定時間以上となるように、照射中マークの報知終了タイミングを設定することが好ましい。所定時間とは、照射中マークの表示を目視で認識できる程度の時間であり、例えば２００ｍｓｅｃ以上であることが好ましい。
【００５２】
例えば、Ｘ線の照射時間（図３Ａ、図３Ｂにおける期間ｔ４〜ｔ５）が所定時間以上である場合には、Ｘ線照射信号によって指示される照射終了タイミング（図３Ａ、図３Ｂにおけるタイミングｔ５）で照射中状態の表示を終了させる。これにより、照射中マークの表示期間が実際の照射期間とかけ離れることなく、確実に照射中状態を認識させることができる。
【００５３】
一方、Ｘ線の照射時間（図３Ａ、図３Ｂにおける期間ｔ４〜ｔ５）が所定時間未満である場合には、照射終了タイミング（図３Ａ、図３Ｂにおけるタイミングｔ５）よりも後に照射中マークの表示を終了させる。この場合、照射終了タイミングは、所定時間が確保されるように設定されればよく、レディ信号、スタート信号、又はＯＫ信号と同期しても、同期しなくてもよい。この場合、照射中マークの表示期間が実際の照射期間とかけ離れる（実際の照射が終了しても照射中マークの表示が行われる）ことになるが、確実に照射中状態を認識させることができる。
【００５４】
このように、本実施の形態に係る撮影用制御装置１１（放射線制御装置）は、Ｘ線発生装置２０（放射線発生装置）及びＸ線撮影装置１０（放射線撮影装置）を含むＸ線撮影システム１（放射線撮影システム）をＸ線発生用制御装置２１（放射線発生用制御装置）と連携して制御する。撮影用制御装置１１は、Ｘ線発生装置２０におけるＸ線の照射状態を表示する表示部１１３（報知部）と、表示部１１３における報知動作を制御する報知制御部１１１Ｃと、を備える。報知制御部１１１Ｃは、Ｘ線発生用制御装置２１からのＸ線照射信号よりも前に撮影用制御装置１１が受信するＸ線発生装置２０又はＸ線撮影装置１０からの信号に基づいて、Ｘ線が照射されていることを示す照射中状態の報知開始タイミングを制御する。
【００５５】
撮影用制御装置１１によれば、Ｘ線発生装置２０からのＸ線照射信号によって指示される照射開始タイミングよりも前に、照射中状態の報知が開始されるので、Ｘ線発生装置２０におけるＸ線の照射状態、特に、Ｘ線の照射中状態を確実に報知することができる。したがって、撮影用制御装置１１は、医用Ｘ線高電圧装置通則で規定されている安全性の要件を満たす。
【００５６】
以上、本発明者によってなされた発明を実施の形態に基づいて具体的に説明したが、本発明は上記実施の形態に限定されるものではなく、その要旨を逸脱しない範囲で変更可能である。
【００５７】
例えば、実施の形態では、表示部１１３を本発明の報知部として機能させているが、照射中状態を音（例えば、ブザー音）で報知する音声出力部を報知部として機能させてもよい。
【００５８】
また例えば、照射中状態の表示を開始するタイミングは、Ｘ線発生装置２０からのＸ線照射信号によって指示される照射開始タイミングよりも前であればよく、レディ信号がオンとなるタイミングであってもよい。
【００５９】
実施の形態では、本発明を、病院の撮影室に据え置かれる据置型のＸ線撮影システム１に適用した場合について説明したが、回診車に搭載される移動型のＸ線撮影システムに適用することもできる。
【００６０】
実施の形態では、処理部１１１（コンピューター）が、報知制御部１１１Ｃとして機能することにより、本発明を実現しているが、この機能は、ＤＳＰ（Digital Signal Processor）、ＡＳＩＣ（Application Specific Integrated Circuit）、ＰＬＤ（Programmable Logic Device）等の電子回路によって構成することもできる。
【００６１】
また、本発明は、Ｘ線撮影システムに限らず、γ線等の他の放射線を使用した撮影システムに適用することもできる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１  Ｘ線撮影システム（放射線撮影システム）
１０  Ｘ線撮影装置（放射線撮影装置）
１１  撮影用制御装置（放射線制御装置）
１２  ＦＰＤ
１３  撮影台
１４  中継器
２０  Ｘ線発生装置（放射線発生装置）
２１  Ｘ線発生用制御装置（放射線発生用制御装置）
２３  照射スイッチ
２４  高電圧発生装置
２５  Ｘ線管装置
１１１Ａ  表示制御部
１１１Ｂ  撮影条件設定部
１１１Ｃ  報知制御部
【図１】
2019048006.tif 000003
【図２】
2019048006.tif 000004
【図３】
2019048006.tif 000005
【図４】
2019048006.tif 000006